(57)【要約】【課題】所望の向きに形成された画像を容易に得ることが可能な画像形成装置を実現する。【解決手段】原稿を読み取って得た画像データを記録紙上に形成して出力する画像形成装置であって、画像形成に必要な各種パラメータとして、少なくとも原稿方向と記録紙綴じ方向とが入力されるパラメータ入力手段１２６ａと、画像の回転処理における回転角度が入力される角度入力手段１２６ｂと、入力されたパラメータと入力された回転角度とのいずれかに基づいて形成する画像の回転角度を決定する角度決定手段１１１１と、決定された回転角度に基づいて形成すべき画像の回転処理を行う画像処理手段１１１２と、画像処理された画像データに基づいて画像形成を行う画像形成手段１１８と、を備えたことを特徴とする。【選択図】　　　図２
2004032639.tif 000002
【特許請求の範囲】
【請求項１】
原稿を読み取って得た画像データを記録紙上に形成して出力する画像形成装置であって、
画像の回転処理における回転角度が入力される角度入力手段と、
入力された回転角度に基づいて形成すべき画像の回転処理を行う画像処理手段と、
画像処理された画像データに基づいて画像形成を行う画像形成手段と、
を備えたことを特徴とする画像形成装置。
【請求項２】
原稿を読み取って得た画像データを記録紙上に形成して出力する画像形成装置であって、
画像形成に必要な各種パラメータとして、少なくとも原稿方向と記録紙綴じ方向とが入力されるパラメータ入力手段と、
画像の回転処理における回転角度が入力される角度入力手段と、
入力されたパラメータと入力された回転角度とのいずれかに基づいて形成する画像の回転角度を決定する角度決定手段と、
決定された回転角度に基づいて形成すべき画像の回転処理を行う画像処理手段と、
画像処理された画像データに基づいて画像形成を行う画像形成手段と、
を備えたことを特徴とする画像形成装置。
【請求項３】
前記角度決定手段は、入力されたパラメータに基づいて回転角度を決定するか、入力された回転角度を用いるか、を切り換え可能に構成されている、
ことを特徴とする請求項２記載の画像形成装置。
【請求項４】
前記角度決定手段は、前記角度入力手段に回転角度が入力された場合には、パラメータ入力手段に入力されたパラメータにかかわらず、前記入力された回転角度を用いる、
ことを特徴とする請求項２記載の画像形成装置。
【請求項５】
前記角度入力手段は、形成すべき全画像に対して一括して回転角度の指定が可能である、
ことを特徴とする請求項１乃至請求項４のいずれかに記載の画像形成装置。
【請求項６】
前記角度入力手段は、形成すべき画像のうち、記録紙の少なくとも一方の面に形成すべき画像に対して回転角度の指定が可能である、
ことを特徴とする請求項１乃至請求項４のいずれかに記載の画像形成装置。
【請求項７】
前記角度入力手段は、形成すべき画像のうち、記録紙の両面に形成すべき画像のそれぞれに対して各面で異なる回転角度の指定が可能である、
ことを特徴とする請求項１乃至請求項４のいずれかに記載の画像形成装置。
【請求項８】
前記角度入力手段は、複数頁の記録紙に形成すべき画像のうち、記録紙のいずれの頁に形成すべき任意の画像に対して回転角度の指定が可能である、
ことを特徴とする請求項１乃至請求項４のいずれかに記載の画像形成装置。
【請求項９】
入力されたパラメータあるいは入力された回転角度に基づいて決定されて回転処理された画像を確認プリントとして画像形成する制御を行う制御手段を備え、
前記角度決定手段は、前記確認プリントの画像形成の後に前記角度入力手段に再入力された回転角度を用いて回転角度を決定する、
ことを特徴とする請求項２乃至請求項８のいずれかに記載の画像形成装置。
【請求項１０】
片面の原稿を読み込んで得た画像を記録紙の両面に形成する、
ことを特徴とする請求項１乃至請求項９のいずれかに記載の画像形成装置。
【請求項１１】
前記角度入力手段は、回転角度の指定として、０°，９０°，１８０°，２７０°のいずれかを選択して指定することが可能である、
ことを特徴とする請求項１乃至請求項１０のいずれかに記載の画像形成装置。
【発明の詳細な説明】
【０００１】
【発明の属する技術分野】
本発明は複写機やプリンタ等の画像形成装置に関し、特に、所望の状態の画像を容易に得ることができる画像形成装置に関する。
【０００２】
【従来の技術】
原稿を読み取って得た画像データを記録紙上に形成して出力する画像形成装置の場合、画像形成に必要な各種パラメータとして、少なくとも原稿方向と記録紙綴じ方向とのパラメータが入力される必要がある。
【０００３】
ここで、「原稿方向」とは、画像読み取り部の原稿載置部あるいはＡＤＦの原稿積載部に、原稿の上下左右を置いた向きのことである。また、「綴じ方向」とは、画像形成された記録紙をステープル処理などで綴じる場合のいずれか一方の辺の方向である。
【０００４】
以下、原稿方向の設定と記録紙の綴じ方向の設定、およびそれらによって生じる画像回転の処理について説明する。
図１０は画像形成装置のタッチパネル兼表示部で構成された操作入力部に表示される基本画面である。この図１０の基本画面の▲１▼の「原稿設定」をユーザが押下すると、図１１のような「原稿の読み込み条件」に関する表示画面が操作入力部に表示される。
【０００５】
ここで、ユーザは自分が、画像読み取り部の原稿載置部あるいはＡＤＦの原稿積載部に、原稿の上下左右をどのように置いているか（どのように読み込ませるか）を見て、それに合わせてこの図１１で原稿セット方向（以下、単に原稿方向）の▲１▼〜▲４▼のいずれかを選択する。なお、必要に応じて、原稿画質、特殊原稿、定型／不定形原稿などの設定も行う。
【０００６】
上述した図１１の原稿方向の設定が完了して「ＯＫ」をユーザが押下すると、操作入力部の表示は再び図１０の基本画面に戻る。
この図１０の基本画面の▲２▼の「出力設定」をユーザが押下すると、図１２のような「綴じ方向」の設定項目を含んだフィニッシャーモードに関する表示画面が操作入力部に表示される。
【０００７】
ここで、ユーザが意図する両面画像形成時の綴じ方向が、左右綴じであるか、上綴じであるかについて、この図１２で両面とじ方向（以下、単に綴じ方向）の▲１▼〜▲２▼のいずれかを選択する。なお、必要に応じて、排紙トレイ、ステイプル、後処理などの設定も行う。
【０００８】
上述した図１２の綴じ方向の設定が完了して「ＯＫ」をユーザが押下すると、操作入力部の表示は再び図１０の基本画面に戻る。なお、以上の原稿方向と綴じ方向の設定の順序はどちらが先でもよい。また、必要に応じてユーザは図１０の基本画面から倍率や濃度などの各種設定を行う。
【０００９】
以上のようにして原稿方向と綴じ方向との設定がなされた場合、これらの設定に基づいて画像制御部などが、形成する画像の回転角度を決定し、画像の回転処理を実行してから画像形成を実行する。
【００１０】
図１３は上述した原稿方向と綴じ方向の設定に基づいて、片面原稿を両面プリントした場合に、画像制御部が制御する画像回転の様子を一覧表形式で示した説明図である。
【００１１】
なお、この図１３のプリント出力の説明欄において、黒い太線は綴じる辺を示しており、また、黒く三角に塗ってある角部分は１箇所ステープルモード時に針を打つ角を表している。
【００１２】
たとえば、原稿方向設定が図１３▲１▼のように選択された場合、綴じ方向として左綴じが選択されると、画像回転は表面・裏面ともに０度である。また、原稿方向設定が図１３▲１▼のように選択された場合であって、綴じ方向として上綴じが選択されると、画像回転は表面は０度であるものの、裏面は１８０度である。
【００１３】
また、原稿方向設定が図１３▲２▼のように選択された場合、綴じ方向として左綴じが選択されると、画像回転は表面は０度であるものの、裏面は１８０度である。また、原稿方向設定が図１３▲２▼のように選択された場合であって、綴じ方向として上綴じが選択されると、画像回転は表面・裏面ともに０度である。
【００１４】
また、原稿方向設定が図１３▲３▼のように選択された場合、綴じ方向として左綴じが選択されると、画像回転は表面・裏面ともに１８０度である。また、原稿方向設定が図１３▲３▼のように選択された場合であって、綴じ方向として上綴じが選択されると、画像回転は表面は１８０度であるものの、裏面は０度である。
【００１５】
また、原稿方向設定が図１３▲４▼のように選択された場合、綴じ方向として左綴じが選択されると、画像回転は表面は１８０度であるものの、裏面は０度である。また、原稿方向設定が図１３▲４▼のように選択された場合であって、綴じ方向として上綴じが選択されると、画像回転は表面・裏面ともに１８０度である。
【００１６】
なお、以上の説明は、原稿方向と記録紙方向とが一致している場合であるため、原稿方向と記録紙方向とが９０度異なっている場合には、以上の回転角度は一律に９０度回転させる必要がある。
【００１７】
【発明が解決しようとする課題】
以上の図１３のように、原稿方向の設定と綴じ方向の設定とによって、形成すべき画像の回転角度が異なっているため、設定の間違いがあると、異なる向きの画像が記録紙上に形成されてしまうことになる。
【００１８】
また、一般的な装置の場合、ユーザによって何も操作されない場合には初期設定の項目が選択されたことになる。たとえば、図１１の原稿方向の設定では▲１▼が、図１２の綴じ方向の設定では▲１▼が初期設定されており、ユーザの設定忘れによって、自動的に初期設定の項目が選択された状態になる。
【００１９】
このため、原稿方向と綴じ方向との設定間違いや設定忘れによって、ユーザが意図していたのとは異なる向きの画像が形成された記録紙が出力される可能性がある。
【００２０】
なお、確認プリント機能などで１枚だけ試しにプリントしてみて間違いに気づいたとしても、一般的な画像形成装置では原稿方向の設定については後から訂正できないため、所望の状態に訂正できない問題がある。
【００２１】
本発明は以上の課題に鑑みてなされたものであって、所望の向きに形成された画像を容易に得ることが可能な画像形成装置を実現することを目的とする。
【００２２】
【課題を解決するための手段】
すなわち、上記の課題を解決する手段としての本願発明は以下に述べるようなものである。
【００２３】
（１）請求項１記載の発明は、原稿を読み取って得た画像データを記録紙上に形成して出力する画像形成装置であって、画像の回転処理における回転角度が入力される角度入力手段と、入力された回転角度に基づいて形成すべき画像の回転処理を行う画像処理手段と、画像処理された画像データに基づいて画像形成を行う画像形成手段と、を備えたことを特徴とする画像形成装置である。
【００２４】
この発明では、原稿を読み取って得た画像データを記録紙上に形成して出力する際に、画像の回転処理における回転角度が入力され、入力された回転角度に基づいて形成する画像の回転角度を決定し、決定された回転角度に基づいて形成すべき画像の回転処理を行い、画像処理された画像データに基づいて画像形成を行う。
【００２５】
すなわち、入力された角度を回転角度として決定することが可能であるため、所望の向きに形成された画像を容易に得ることが可能になる。このため、原稿方向と綴じ方向との設定間違いや設定忘れ等が発生しても、また、そのよな設定が行えない装置であっても、回転角度を直接指定できるため、ユーザが意図していたのとは異なる向きの画像が形成された記録紙が出力される問題を解決することができる。
【００２６】
（２）請求項２記載の発明は、原稿を読み取って得た画像データを記録紙上に形成して出力する画像形成装置であって、画像形成に必要な各種パラメータとして、少なくとも原稿方向と記録紙綴じ方向とが入力されるパラメータ入力手段と、画像の回転処理における回転角度が入力される角度入力手段と、入力されたパラメータと入力された回転角度とのいずれかに基づいて形成する画像の回転角度を決定する角度決定手段と、決定された回転角度に基づいて形成すべき画像の回転処理を行う画像処理手段と、画像処理された画像データに基づいて画像形成を行う画像形成手段と、を備えたことを特徴とする画像形成装置である。
【００２７】
この発明では、原稿を読み取って得た画像データを記録紙上に形成して出力する際に、原稿方向と記録紙綴じ方向とがパラメータとして入力され、さらに画像の回転処理における回転角度が入力され、入力されたパラメータと入力された回転角度とのいずれかに基づいて形成する画像の回転角度を決定し、決定された回転角度に基づいて形成すべき画像の回転処理を行い、画像処理された画像データに基づいて画像形成を行う。
【００２８】
すなわち、原稿方向と記録紙綴じ方向から装置が自動的に回転角度を決定するだけでなく、入力された角度を回転角度として決定することが可能であるため、所望の向きに形成された画像を容易に得ることが可能になる。
【００２９】
このため、原稿方向と綴じ方向との設定間違いや設定忘れ等が発生しても、回転角度を直接指定できるため、ユーザが意図していたのとは異なる向きの画像が形成された記録紙が出力される問題を解決することができる。
【００３０】
（３）請求項３記載の発明は、前記角度決定手段は、入力されたパラメータに基づいて回転角度を決定するか、入力された回転角度を用いるか、を切り換え可能に構成されている、ことを特徴とする請求項２記載の画像形成装置である。
【００３１】
この発明では、上記（２）の角度決定手段において、入力されたパラメータに基づいて回転角度を決定するか、入力された回転角度を用いるか、を切り換え可能である。なお、この切り換えとしては、決定前の事前設定による切り換え、決定後の選択による切り換えなどが考えられる。
【００３２】
すなわち、原稿方向と記録紙綴じ方向から装置が自動的に回転角度を決定するだけでなく、入力された角度を回転角度として決定することが可能であり、いずれを用いるかが切り換え可能であるため、所望の向きに形成された画像を容易に得ることが可能になる。
【００３３】
（４）請求項４記載の発明は、前記角度決定手段は、前記角度入力手段に回転角度が入力された場合には、パラメータ入力手段に入力されたパラメータにかかわらず、前記入力された回転角度を用いる、ことを特徴とする請求項２記載の画像形成装置である。
【００３４】
この発明では、上記（２）において、角度入力手段にユーザからの回転角度が入力操作がなされた場合には、パラメータ入力手段に入力されたパラメータにかかわらず、入力された回転角度を用いるようにしている。
【００３５】
すなわち、原稿方向と記録紙綴じ方向から装置が自動的に回転角度を決定するだけでなく、入力された角度を回転角度として決定することが可能であり、かつ、入力された角度を優先的に用いるようにしているため、所望の向きに形成された画像を容易に得ることが可能になる。
【００３６】
（５）請求項５記載の発明は、前記角度入力手段は、形成すべき全画像に対して一括して回転角度の指定が可能である、ことを特徴とする請求項１乃至請求項４のいずれかに記載の画像形成装置である。
【００３７】
この発明では、上記（１）〜（４）において、角度入力手段では、形成すべき全頁の画像に対して、一括して同一の回転角度の指定をなすことが可能であるように構成されている。このようにしているため、所望の向きに形成された画像を容易に得ることが可能になる。
【００３８】
（６）請求項６記載の発明は、前記角度入力手段は、形成すべき画像のうち、記録紙の少なくとも一方の面に形成すべき画像に対して回転角度の指定が可能である、ことを特徴とする請求項１乃至請求項４のいずれかに記載の画像形成装置である。
【００３９】
この発明では、上記（１）〜（４）において、角度入力手段では、形成すべき画像の少なくとも一方の面に対して、一括して同一の回転角度の指定をなすことが可能であるように構成されている。このようにしているため、所望の向きに形成された画像を容易に得ることが可能になる。
【００４０】
（７）請求項７記載の発明は、前記角度入力手段は、形成すべき画像のうち、記録紙の両面に形成すべき画像のそれぞれに対して各面で異なる回転角度の指定が可能である、ことを特徴とする請求項１乃至請求項４のいずれかに記載の画像形成装置である。
【００４１】
この発明では、上記（１）〜（４）において、角度入力手段では、形成すべき画像の両面に対して、それぞれの各面で回転角度の指定をなすことが可能であるように構成されている。このようにしているため、両面画像形成の際にも各面で所望の向きに形成された画像を容易に得ることが可能になる。
【００４２】
（８）請求項８記載の発明は、前記角度入力手段は、複数頁の記録紙に形成すべき画像のうち、記録紙のいずれの頁に形成すべき任意の画像に対して回転角度の指定が可能である、ことを特徴とする請求項１乃至請求項４のいずれかに記載の画像形成装置である。
【００４３】
この発明では、上記（１）〜（４）において、角度入力手段では、形成すべき画像のうちのいずれか任意の頁の画像に対して、回転角度の指定をなすことが可能であるように構成されている。このようにしているため、所望の向きに形成された画像を容易に得ることが可能になる。
【００４４】
（９）請求項９記載の発明は、入力されたパラメータあるいは入力された回転角度に基づいて決定されて回転処理された画像を確認プリントとして画像形成する制御を行う制御手段を備え、前記角度決定手段は、前記確認プリントの画像形成の後に前記角度入力手段に再入力された回転角度を用いて回転角度を決定する、ことを特徴とする請求項２乃至請求項８のいずれかに記載の画像形成装置である。
【００４５】
この発明では、（２）〜（８）において、回転処理された画像を確認プリントとして画像形成する制御を行う機能を備え、確認プリントの画像形成の後に、再入力された回転角度を用いて回転角度を決定することが可能に構成されている。このようにしているため、必要に応じて修正が可能であり、所望の向きに形成された画像を容易に得ることが可能になる。
【００４６】
（１０）請求項１０記載の発明は、片面の原稿を読み込んで得た画像を記録紙の両面に形成する、ことを特徴とする請求項１乃至請求項９のいずれかに記載の画像形成装置である。
【００４７】
この発明では、片面の原稿を読み込んで得た画像を記録紙の両面に形成する際に、上記（１）〜（９）の各構成および動作を行うようにしており、これにより、所望の向きに形成された画像を容易に得ることが可能になる。
【００４８】
（１１）請求項１１記載の発明は、前記角度入力手段は、回転角度の指定として、０°，９０°，１８０°，２７０°のいずれかを選択して指定することが可能である、ことを特徴とする請求項１乃至請求項１０のいずれかに記載の画像形成装置である。
【００４９】
この発明では、上記（１）〜（１０）の各構成および動作を行う際に、回転角度の指定として、０°，９０°，１８０°，２７０°のいずれかを選択して指定することが可能なようにしており、これにより、所望の向きに形成された画像を簡易な操作で容易に得ることが可能になる。
【００５０】
【発明の実施の形態】
以下、図面を参照して本発明の実施の形態例を詳細に説明する。なお、以下の実施の形態例では、画像形成装置として複写機を具体例にして説明する。同様に、画像処理方法としては画像形成装置（複写機）の動作により説明する。
【００５１】
〈第１の実施の形態例〉
まず図３を参照して本実施の形態例の画像形成装置が適用される装置の全体構成を説明する。
【００５２】
この図３において、１０は電子写真方式などにより記録紙上に画像を形成する画像形成部、２０は原稿の画像を読み取ることで画像データを生成・出力する画像読取部、３０は画像形成部１０から排出された記録紙に対してソーティング、ステープリング、パンチング等の後処理をする後処理部である。
【００５３】
画像形成部１０は、感光体１１を有し、該感光体１１上に、帯電、露光、現像によりトナー像を形成し、感光体１１に形成されたトナー像を記録紙に転写する像形成ユニット１２、画像が形成される記録紙を収納する給紙部１３ａ、１３ｂ、１３ｃ、１３ｄ、両面画像形成用の記録紙反転部１４及び記録紙上のトナー像を定着する定着器１５を有する。
【００５４】
画像読取部２０は原稿が載置される原稿載置部２１、原稿を搬送し、読み取り位置を形成するプラテンローラ２２、読み取り済み原稿が載置される原稿排紙台２３及び画像光を受光し、画像信号に変換するイメージセンサ２４を有する。
【００５５】
つぎに、図１により画像形成装置の主要な構成要素の電気的構成を示す。この図１の画像形成装置は本体部１１０と操作部１２０に分けることができ、それぞれに制御手段としてのＣＰＵが設けられている。
【００５６】
本体部１１０において、１１１は画像形成装置の各部を制御する本体ＣＰＵ、１１２は実行する処理プログラムを格納するＲＯＭ、１１３は本体ＣＰＵ１１１が処理プログラムを実行する際に使用される作業エリアとしてのＲＡＭ、１１４は各種設定パラメータを格納する不揮発ＲＡＭ、１１５は各種データの入出力に使用される入出力ポート、１１６は本体部と操作部との通信を制御するシリアル通信制御ユニット、である。なお、１１７、１１８はそれぞれ図２における画像読取部２０、画像形成部１０の電気的構成である。
【００５７】
また、操作部１２０において、１２１は各種の操作と各種の表示のための制御をする操作部ＣＰＵ、１２２は操作部ＣＰＵ１２１が実行する各種のプログラムを格納するＲＯＭ、１２３は操作部ＣＰＵ１２１が処理プログラムを実行する際に使用される作業エリアとしてのＲＡＭ、１２４は各種データの入出力に使用される入出力ポート、１２５は本体部と操作部との通信を制御するシリアル通信制御ユニット、１２６は操作の受付を行う入力手段としてのタッチパネル、１２７は操作部ＣＰＵ１２１からの指令を受けてパターンや文字の表示の制御を行うＬＣＤコントローラ、１２８はパターンや文字を表示するＬＣＤ（液晶表示ディスプレイ）である。
【００５８】
なお、操作入力部全体としては、表示と入力の受付を行うタッチパネル１２６以外に、電源キー、コピースタートキー、テンキー等のハードキー１２９が設けられる。
【００５９】
タッチパネル１２６とＬＣＤ１２８とは電気的には図示のように分かれているが、機械的には重ねて配置されている。したがって、ＬＣＤ１２８で表示されている位置でタッチパネル１２６を押下して操作することで、所定のボタンを押下したと等しい状態が生成される。
【００６０】
本体ＣＰＵ１１１は、後に説明するジョブの実行のための制御を行い、操作部ＣＰＵ１２１は本体ＣＰＵの制御の基に、操作部パネルにおける画面表示の制御を主として行う。
【００６１】
また、図２は本実施の形態例の画像形成装置を機能別に見た場合のブロック図である。この図２において、本体ＣＰＵ１１１および実行プログラム内には、角度決定手段１１１１と、画像処理手段１１１２とが含まれている。また、角度決定手段１１１１内には、入力されたパラメータに基づいて形成する画像の回転角度を算出する角度算出部１１１１ａと、入力された角度に基づいて形成する画像の回転角度を選択する指定角度選択部１１１１ｂとが設けられている。そして、タッチパネル１２６内には、画像形成に必要な各種パラメータとして少なくとも原稿方向と記録紙綴じ方向とが入力されるパラメータ入力手段１２６ａと、画像の回転処理における回転角度が数値として入力される角度入力手段１２６ｂと、が設けられている。
【００６２】
この図２の画像形成装置では、原稿読取部１１７で原稿を読み取って得た画像データを記録紙上に形成して出力する際に、原稿方向と記録紙綴じ方向とがパラメータとしてパラメータ入力手段１２６ａから入力され、さらに画像の回転処理における回転角度が角度入力手段１２６ｂから入力され、入力されたパラメータと入力された回転角度とのいずれかに基づいて形成する画像の回転角度を角度決定手段１１１１が決定し、決定された回転角度に基づいて形成すべき画像の回転処理を画像処理手段１１１２が行い、画像処理された画像データに基づいて画像形成部１１８が画像形成を行う。
【００６３】
なお、本体ＣＰＵ１１１は画像形成や画像処理のためのプログラムを実行しており、そのプログラムに基づいて本実施の形態例の動作の制御や各種画像処理の制御を実行するものである。また、この実施の形態例の画像形成装置は、複写機、ファクシミリ装置、プリンタなどの各種の装置が該当する。また、画像形成部１１８は、レーザビームを用いる電子写真方式のもののほか、ＬＥＤプリントヘッドを用いるものや、インクジェット方式のものでもよい。
【００６４】
以上のような画像形成装置において、本実施の形態例の特徴部分の動作について、角度決定を含めた画像形成について図４のフローチャート、および図５以降の説明図などを参照して動作説明を行う。
【００６５】
まず、ユーザは画像形成装置によって複写（原稿の読み取りと記録紙への画像形成）を行う場合、原稿を原稿載置部２１に載置し、タッチパネル１２６から各種設定を行う（図４Ｓ１）。
【００６６】
図５は、図１に示す実施の形態のタッチパネル１２６に対してＬＣＤ１２８から表示される基本画面例を示す。基本画面は、画像形成装置の標準的操作の際に使用されて、標準的な使用における各種の操作項目の表示及び該項目の入力を受け付ける画面である。基本画面は、また各種の特殊モードや特殊画面に入るための操作キーが設けられている。
【００６７】
メッセージエリアとしての左上欄には、「コピーできます」のほか、「原稿をセットして下さい」などのユーザに対する指示や「予約リスト表示」のような機械の状態の説明が表示される。
【００６８】
なお、基本画面を用いて、「原稿方向」、「両面選択」、「濃度」、「倍率」、「サイズ選択」等の画像形成条件のみでなく、出力設定や応用設定の利用などの画像記録条件を設定することができる。応用設定の詳細な設定等の画像記録の条件は後に説明するように、階層化された画面の下位の画面を用いて設定される。また、本実施の形態例では、この基本画面の応用設定の選択ボタンとして、「画像回転設定」（図５▲３▼）が設けられていることを特徴としている。なお、この基本画面内の一般的な部分については詳細な説明を省略する。
【００６９】
この図５の基本画面の▲１▼の「原稿設定」をユーザが押下すると、既に図１１で説明したような「原稿の読み込み条件」に関する表示画面がタッチパネル１２６と一体に構成されたＬＣＤ１２８に表示される。
【００７０】
ここで、ユーザは自分が、画像読み取り部の原稿載置部あるいはＡＤＦの原稿積載部に、原稿の上下左右をどのように置いているかを見て、それに合わせてこの図１１で原稿セット方向（以下、単に原稿方向）の▲１▼〜▲４▼のいずれかを選択する。なお、必要に応じて、原稿画質、特殊原稿、定型／不定形原稿などの設定も行う。なお、この実施の形態例において、「原稿方向」とは、画像読み取り部の原稿載置部あるいはＡＤＦの原稿積載部に、原稿の上下左右を置いた向きのことである。
【００７１】
上述した原稿方向の設定が完了して「ＯＫ」をユーザが押下すると、操作入力部の表示は再び図５の基本画面に戻る。
この図５の基本画面の▲２▼の「出力設定」をユーザが押下すると、既に図１２で説明したような「綴じ方向」の設定項目を含んだフィニッシャーモードに関する表示画面がタッチパネル１２６と一体に構成されたＬＣＤ１２８に表示される。ここで、「綴じ方向」とは、画像形成された記録紙をステープル処理などで綴じる場合のいずれか一方の辺の方向である。
【００７２】
ここで、ユーザが意図する両面画像形成時の綴じ方向が、左右綴じであるか、上綴じであるかについて、この図１２で両面とじ方向（以下、単に綴じ方向）の▲１▼〜▲２▼のいずれかを選択する。なお、必要に応じて、排紙トレイ、ステイプル、後処理などの設定も行う。
【００７３】
この図５の基本画面の▲３▼の「画像回転設定」をユーザが押下すると、図６に示すような「画像回転設定」の各種設定項目を含んだ表示画面がタッチパネル１２６と一体に構成されたＬＣＤ１２８に表示される。この図６の表示画面を表示した状態のタッチパネル１２６が、角度入力手段１２６ｂを構成している。
【００７４】
この画像回転設定で、初期設定は、入力されたパラメータ（原稿方向と綴じ方向）に基づいて角度決定手段１１１１内の角度算出部１１１１ａが画像の回転角度を自動的に算出する自動モードである。
【００７５】
また、この画像回転設定で、ユーザの意図的な選択（手動モード）によって、「一括指定」、「ページ指定」が選択できる。この画像回転設定で、「一括指定」あるいは「ページ指定」が選択された場合は、図６の画像回転設定の画面を介して入力された角度に基づいて角度決定手段１１１１内の指定角度選択部１１１１ｂが画像の回転角度を選択する。
【００７６】
ここで、「一括指定」では、形成すべき全頁の画像に対して、一括して同一の回転角度の指定をなすことが可能であるように構成されている。また、「一括指定」では、形成すべき画像の少なくとも一方の面に対して、一括して同一の回転角度の指定をなすことが可能であるように構成されている。さらに、「ページ指定」では、形成すべき画像のうちのいずれか任意の頁の画像に対して、回転角度の指定をなすことが可能であるように構成されている。
【００７７】
上述した図６の回転角度の設定が完了して「ＯＫ」をユーザが押下すると、操作入力部の表示は再び図５の基本画面に戻る。なお、以上の原稿方向の設定、綴じ方向の設定、回転角度の設定についての設定の順序はどの順番で行っても構わない。
【００７８】
また、ハードキー１２９としては、図７のようになっている。このハードキー１２９としては、「コピースタートキー」、「テンキー」等のほかに、「設定確認キー」（図７▲１▼）が設けられている。この設定確認キーを押下すると、図８のような各種設定項目を含んだ設定確認画面がタッチパネル１２６と一体に構成されたＬＣＤ１２８に表示される。
【００７９】
この設定確認画面では、ユーザが意図的に設定した項目や、ユーザが設定せずに自動設定になった項目などで画像形成に必要なものが一覧表示される。なお、右下部分には画像回転設定の項目が表示されており（図８▲１▼）、その脇には画像回転設定における設定状態として、たとえば、「手動　全ページ一括　０°」と表示されている。これは、ユーザの手動設定により、前ページ一括で、回転角度として０°が選択されたことを表している。
【００８０】
この設定確認画面にて修正を施したい設定項目があれば、その項目部分を押下することで、対応した設定項目の画面に切り替わり、設定項目の修正が可能である。また、この設定確認画面にて、設定項目の内容を細かく確認したい場合にも、その項目部分を押下することで、対応した設定項目の画面に切り替わり、設定項目の詳細についての確認が可能である。
【００８１】
以上のような各種の設定が完了して、ユーザがハードキー１２９のコピースタートキー（図７▲２▼）を押下した場合、本体ＣＰＵ１１１の指示により、画像読取部１１７が原稿の読み取りを開始する（図４Ｓ２）。なお、画像読取部１１７が読み取って生成した画像データは順次ＲＡＭ１１３に格納される。
【００８２】
そして、角度決定手段１１１１は、自動モードと手動モードとのいずれが選択されているかを調べる（図４Ｓ３）。ここで、自動モードであれば（図４Ｓ３でＹ）、入力されたパラメータ（原稿方向と綴じ方向）に基づいて角度算出部１１１１ａが画像の回転角度を自動的に算出する（図４Ｓ４）。この場合、既に図１３により説明したように、原稿方向と綴じ方向との設定により回転角度を算出できる。また、手動モードであれば（図４Ｓ３でＮ）、図６のようにユーザにより入力された角度に基づいて指定角度選択部１１１１ｂが画像の回転角度を選択する。
【００８３】
なお、角度決定手段１１１１内の選択部１１１１ｃは、図６のような角度入力手段１２６ｂを介してユーザからの回転角度が入力操作がなされた場合には、パラメータ入力手段１２６ａに入力されたパラメータ（原稿方向、綴じ方向）にかかわらず、入力された回転角度を優先して用いる。すなわち、原稿方向と記録紙綴じ方向から装置が自動的に回転角度を決定するだけでなく、入力された角度を回転角度として決定することが可能であり、かつ、入力された角度を優先的に用いるようにしている。
【００８４】
そして、以上のようにして設定された画像の回転角度を含めた各種設定項目に従って、本体ＣＰＵ１１１は画像処理プログラムあるいは図示されない画像処理プロセッサなどの画像処理手段１１１２を用いて、画像回転を含めた画像処理を実行する（図４Ｓ６）。
【００８５】
さらに、以上のようにして画像処理手段１１１２によって画像処理が施された画像データは画像形成部１１８に送られ、画像形成プロセスに従って画像形成が実行される（図４Ｓ７）。
【００８６】
以上の実施の形態例の動作と効果とを列記すると、以下の▲１▼〜▲９▼に示すようなものになる。
▲１▼この実施の形態例では、原稿を読み取って得た画像データを記録紙上に形成して出力する際に、原稿方向と記録紙綴じ方向とがパラメータとして入力され、さらに画像の回転処理における回転角度が入力され、入力されたパラメータと入力された回転角度とのいずれかに基づいて形成する画像の回転角度を決定し、決定された回転角度に基づいて形成すべき画像の回転処理を行い、画像処理された画像データに基づいて画像形成を行う。すなわち、原稿方向と記録紙綴じ方向から装置が自動的に回転角度を決定するだけでなく、入力された角度を回転角度として決定することが可能であるため、所望の向きに形成された画像を容易に得ることが可能になる。このため、原稿方向と綴じ方向との設定間違いや設定忘れ等が発生しても、回転角度を直接指定できるため、ユーザが意図していたのとは異なる向きの画像が形成された記録紙が出力される問題を解決することができる。
【００８７】
▲２▼この実施の形態例では、上記▲１▼の角度決定において、入力されたパラメータに基づいて回転角度を決定するか、入力された回転角度を用いるか、を切り換え可能である。なお、この切り換えとしては、決定前の事前設定による切り換え、決定後の選択による切り換えなどが考えられる。すなわち、原稿方向と記録紙綴じ方向から装置が自動的に回転角度を決定するだけでなく、入力された角度を回転角度として決定することが可能であり、いずれを用いるかが切り換え可能であるため、所望の向きに形成された画像を容易に得ることが可能になる。
【００８８】
▲３▼この実施の形態例では、上記▲１▼において、角度入力手段１２６ｂにユーザからの回転角度が入力操作がなされた場合には、パラメータ入力手段１２６ａに入力されたパラメータ（原稿方向と綴じ方向）にかかわらず、入力された回転角度を優先して用いるようにしている。すなわち、原稿方向と記録紙綴じ方向から装置が自動的に回転角度を決定するだけでなく、入力された角度を回転角度として決定することが可能であり、かつ、入力された角度を優先的に用いるようにしているため、所望の向きに形成された画像を容易に得ることが可能になる。
【００８９】
▲４▼この実施の形態例では、上記▲１▼〜▲３▼において、角度入力手段１２６ｂでは、形成すべき全頁の画像に対して、一括して同一の回転角度の指定をなすことが可能であるように構成されている。このようにしているため、所望の向きに形成された画像を容易に得ることが可能になる。
【００９０】
▲５▼この実施の形態例では、上記▲１▼〜▲３▼において、角度入力手段１２６ｂでは、形成すべき画像の少なくとも一方の面に対して、一括して同一の回転角度の指定をなすことが可能であるように構成されている。このようにしているため、所望の向きに形成された画像を容易に得ることが可能になる。
【００９１】
▲６▼両面画像形成の際には、表面と裏面とで独立して角度を指定することが可能に構成されている。このようにすることで、両面画像形成の際にも各面で所望の向きに形成された画像を容易に得ることが可能になる。
【００９２】
▲７▼この実施の形態例では、上記▲１▼〜▲３▼において、角度入力手段１２６ｂでは、形成すべき画像のうちのいずれか任意の頁の画像に対して、回転角度の指定をなすことが可能であるように構成されている。このようにしているため、所望の向きに形成された画像を容易に得ることが可能になる。
【００９３】
▲８▼片面の原稿を読み込んで得た画像を記録紙の両面に形成する際に、上記▲１▼〜▲６▼の各構成および動作を行うようにしており、これにより、所望の向きに形成された画像を容易に得ることが可能になる。
【００９４】
▲９▼また、以上の角度指定においては、予め、回転角度の指定として、０°，９０°，１８０°，２７０°のいずれかが選択肢として示されて、それを選択することが可能なように構成しておくことで、所望の向きに形成された画像を簡易な操作で容易に得ることが可能になる。
【００９５】
〈第２の実施の形態例〉
図９は本発明の第２の実施の形態例の動作状態を示すフローチャートである。基本的には第１の実施の形態例と同一であるため、重複した説明は省略する。ここでは、確認プリントの機能を備えた点が異なっている。ここで、「確認プリント」とは、設定に基づいて画像処理された画像を１枚だけ試しにプリントすることで、できあがりを確認するためのプリントである。
【００９６】
すなわち、この第２の実施の形態例では、第１の実施の形態例と同様にして入力されたパラメータ（原稿方向と綴じ方向）あるいは入力された回転角度に基づいて決定されて回転処理された画像について、図７▲３▼の確認プリントキーが押下されたり、図８▲３▼の確認プリントキーが押下されることで、「確認プリント」として１枚だけ試しに画像形成する（図９Ｓ７でＹ、Ｓ８）機能を備えた点が異なっている。
【００９７】
このような確認プリントによってユーザが意図した通りの画像が形成された記録紙が出力されれば、ユーザのＯＫの指示により（図９Ｓ９でＹ）、全体の画像形成が実行される（図９Ｓ１１）。
【００９８】
また、このような確認プリントによってユーザが意図した通りでない画像が形成された記録紙が出力されれば、ユーザの修正の指示により（図９Ｓ９でＮ）、すなわち図８▲１▼の画像回転設定キーの押下により、図６の角度入力手段１２６ｂの画面を介して、画像の回転角度の修正（再入力）がなされる（図９Ｓ１０）。また、回転角度以外の修正も可能である。この後、確認プリントを繰り返し（図９Ｓ８）、ユーザが意図した通りの画像が形成された記録紙が出力されれば、ユーザのＯＫの指示により（図９Ｓ９でＹ）、全体の画像形成が実行される（図９Ｓ１１）。
【００９９】
この第２の実施の形態例では、回転処理された画像を確認プリントとして画像形成する制御を行う機能を備え、確認プリントの画像形成の後に、再入力された回転角度を用いて回転角度を決定することが可能に構成されている。このようにしているため、必要に応じて修正が可能であり、所望の向きに形成された画像を容易に得ることが可能になる。
【０１００】
〈その他の実施の形態例〉
以上の実施の形態例では、原稿方向と記録紙綴じ方向とがパラメータとして入力され、さらに画像の回転処理における回転角度が入力される画像形成装置を具体例にして説明してきたが、これに限定されるものではない。すなわち、上述したパラメータとして異なるデータが入力される画像形成装置や、パラメータ入力なしに回転角度が入力される画像形成装置であっても、上述した作用効果を奏することが可能である。
【０１０１】
【発明の効果】
以上、実施の形態例により詳細に説明したように、本発明によれば、以下のような効果が得られる。
【０１０２】
（１）入力された角度を回転角度として決定することが可能であるため、所望の向きに形成された画像を容易に得ることが可能になる。このため、原稿方向と綴じ方向との設定間違いや設定忘れ等が発生しても、回転角度を直接指定できるため、ユーザが意図していたのとは異なる向きの画像が形成された記録紙が出力される問題を解決することができる。
【０１０３】
（２）原稿方向と記録紙綴じ方向から装置が自動的に回転角度を決定するだけでなく、入力された角度を回転角度として決定することが可能であるため、所望の向きに形成された画像を容易に得ることが可能になる。このため、原稿方向と綴じ方向との設定間違いや設定忘れ等が発生しても、回転角度を直接指定できるため、ユーザが意図していたのとは異なる向きの画像が形成された記録紙が出力される問題を解決することができる。
【０１０４】
（３）原稿方向と記録紙綴じ方向から装置が自動的に回転角度を決定するだけでなく、入力された角度を回転角度として決定することが可能であり、いずれを用いるかが切り換え可能であるため、所望の向きに形成された画像を容易に得ることが可能になる。
【０１０５】
（４）原稿方向と記録紙綴じ方向から装置が自動的に回転角度を決定するだけでなく、入力された角度を回転角度として決定することが可能であり、かつ、入力された角度を優先的に用いるようにしているため、所望の向きに形成された画像を容易に得ることが可能になる。
【０１０６】
（５）形成すべき全頁の画像に対して、一括して同一の回転角度の指定をなすことが可能であるように構成されている。このようにしているため、所望の向きに形成された画像を容易に得ることが可能になる。
【０１０７】
（６）形成すべき画像の少なくとも一方の面に対して、一括して同一の回転角度の指定をなすことが可能であるように構成されている。このようにしているため、所望の向きに形成された画像を容易に得ることが可能になる。
【０１０８】
（７）角度入力手段では、形成すべき画像の両面に対して、それぞれの各面で回転角度の指定をなすことが可能であるように構成されている。このようにしているため、両面画像形成の際にも各面で所望の向きに形成された画像を容易に得ることが可能になる。
【０１０９】
（８）形成すべき画像のうちのいずれか任意の頁の画像に対して、回転角度の指定をなすことが可能であるように構成されている。このようにしているため、所望の向きに形成された画像を容易に得ることが可能になる。
【０１１０】
（９）確認プリントの画像形成の後に、再入力された回転角度を用いて回転角度を決定することが可能に構成されている。このようにしているため、必要に応じて修正が可能であり、所望の向きに形成された画像を容易に得ることが可能になる。
【０１１１】
（１０）片面の原稿を読み込んで得た画像を記録紙の両面に形成する際に、上記（１）〜（９）の各構成および動作を行うようにしており、これにより、所望の向きに形成された画像を容易に得ることが可能になる。
【０１１２】
（１１）上記（１）〜（１０）の各構成および動作を行う際に、回転角度の指定として、０°，９０°，１８０°，２７０°のいずれかを選択して指定することが可能なようにしており、これにより、所望の向きに形成された画像を簡易な操作で容易に得ることが可能になる。
【図面の簡単な説明】
【図１】本発明の実施の形態例の画像形成装置の電気的な構成を示す構成ブロック図である。
【図２】本発明の実施の形態例の画像形成装置の電気的な構成と信号の流れとを示す機能ブロック図である。
【図３】本発明の実施の形態例の画像形成装置の機械的な構成を示す構成図である。
【図４】本発明の実施の形態例の画像形成装置の動作を示すフローチャートである。
【図５】本発明の実施の形態例の画像形成装置の操作部の様子を模式的に示す説明図である。
【図６】本発明の実施の形態例の画像形成装置の操作部の様子を模式的に示す説明図である。
【図７】本発明の実施の形態例の画像形成装置の操作部の様子を模式的に示す説明図である。
【図８】本発明の実施の形態例の画像形成装置の操作部の様子を模式的に示す説明図である。
【図９】本発明の実施の形態例の画像形成装置の動作を示すフローチャートである。
【図１０】従来の画像形成装置の操作表示部の表示画面例を示す説明図である。
【図１１】従来の画像形成装置の操作表示部の表示画面例を示す説明図である。
【図１２】従来の画像形成装置の操作表示部の表示画面例を示す説明図である。
【図１３】画像形成装置の画像回転の処理の様子を示す説明図である。
【符号の説明】
１１０　本体部
１１１　本体ＣＰＵ
１１２　ＲＯＭ
１１３　ＲＡＭ
１１４　不揮発ＲＡＭ
１１５　入出力ポート
１１６　シリアル通信制御ユニット
１１７　画像読取部
１１８　画像形成部
１２０　操作部
１２６　タッチパネル
１２６ａ　パラメータ入力手段
１２６ｂ　角度入力手段
１１１１　角度決定手段
１１１１ａ　角度算出部
１１１１ｂ　指定角度選択部
１１１１ｃ　選択部
１１１２　画像処理手段
【図１】
2004032639.tif 000003
【図２】
2004032639.tif 000004
【図３】
2004032639.tif 000005
【図４】
2004032639.tif 000006
【図５】
2004032639.tif 000007
【図６】
2004032639.tif 000008
【図７】
2004032639.tif 000009
【図８】
2004032639.tif 000010
【図９】
2004032639.tif 000011
【図１０】
2004032639.tif 000012
【図１１】
2004032639.tif 000013
【図１２】
2004032639.tif 000014
【図１３】
2004032639.tif 000015